(57)【要約】【課題】オープンキャプションの表示を非表示化することができるテレビジョン放送受信装置を提供する。【解決手段】テレビジョン放送受信装置１００に、テレビジョン放送信号に含まれるオープンキャプションデータを表示する際の文字のフォント及び大きさに関する文字情報を記憶する文字情報記憶手段（記憶部１０，フォントデータファイル１０Ａ）と、文字情報中の文字のフォント及び大きさと一致する部分が映像データ内に存在するか否かを解析することにより、オープンキャプションを検出する検出手段（ＣＰＵ８，オープンキャプション検出プログラム１０Ｃ）と、映像データに基づく映像に含まれるオープンキャプションが検出された場合に、当該オープンキャプション部分の映像における色を当該オープンキャプション部分に隣接する部分の色に変更する画像処理を行う画像処理手段（ＣＰＵ８，塗りつぶしプログラム１０Ｄ）と、を備えた。【選択図】図２
2007266718.tif 000002
【特許請求の範囲】
【請求項１】
テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
オープンキャプションの非表示を設定する設定手段と、
前記設定手段によりオープンキャプションの非表示が設定された場合に、前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像における色を当該オープンキャプション部分に隣接する部分の色に変更する画像処理を行う画像処理手段と、
を備えることを特徴とするテレビジョン放送受信装置。
【請求項２】
テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像における色を当該オープンキャプション部分に隣接する部分の色に変更する画像処理を行う画像処理手段と、
を備えることを特徴とするテレビジョン放送受信装置。
【請求項３】
テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像を当該オープンキャプション部分における当該オープンキャプションが現れる直前の映像となるように映像データを画像処理する画像処理手段と、
を備えることを特徴とするテレビジョン放送受信装置。
【発明の詳細な説明】
【技術分野】
【０００１】
本発明は、テレビジョン放送受信装置に関する。
【背景技術】
【０００２】
従来、テレビジョン放送受信装置において表示される字幕には、常時表示されるオープンキャプションと表示／非表示を切り換えられるクローズドキャプションとが知られている。そして、字幕を含むデジタル放送信号を受信した場合に、映像信号に含まれるオープンキャプションを検出し、クローズドキャプションの表示予定位置に当該オープンキャプションが表示される場合には、当該オープンキャプションと当該クローズドキャプションとが重ならないように、クローズドキャプションの表示位置や表示内容を制御するものが知られている（例えば、特許文献１）。
また、表示したくないオープンキャプションの表示位置にクローズドキャプションを表示するとともに、当該オープンキャプションを当該クローズドキャプションにより隠すように当該クローズドキャプションの表示を編集設定することができるものも知られている（例えば、特許文献２）
【特許文献１】特開２００２−３４４８０５号公報
【特許文献２】特開平６−２１７１９９号公報
【発明の開示】
【発明が解決しようとする課題】
【０００３】
ところで、放送局から伝送されたデジタル放送を地域放送局で受信し、当該地域放送局においてデジタル放送がアナログ放送に変換されて、当該アナログ放送が各家庭のテレビジョン放送受信装置に伝送される放送形態がある。このような放送形態では、地域放送局において当該デジタル放送がアナログ放送に変換される際に、クローズドキャプションがオープンキャプションに変換されてしまう場合があり、放送局からクローズドキャプションの字幕が伝送されても、各テレビジョン放送受信装置では、当該字幕の表示／非表示を切り換えることができないため、クローズドキャプションが常時表示されることとなって、ユーザにとっては目障りである場合があるという問題がある。
上記特許文献では、クローズドキャプションの表示についての発明であるので、上記問題を解決することができない。
【０００４】
本発明の課題は、オープンキャプションの表示を非表示化することができるテレビジョン放送受信装置を提供することである。
【課題を解決するための手段】
【０００５】
請求項１に記載の発明は、テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
オープンキャプションの非表示を設定する設定手段と、
前記設定手段によりオープンキャプションの非表示が設定された場合に、前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像における色を当該オープンキャプション部分に隣接する部分の色に変更する画像処理を行う画像処理手段と、
を備えることを特徴としている。
【０００６】
請求項２に記載の発明は、テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像における色を当該オープンキャプション部分に隣接する部分の色に変更する画像処理を行う画像処理手段と、
を備えることを特徴としている。
【０００７】
請求項３に記載の発明は、テレビジョン放送信号を受信し、当該テレビジョン放送信号に基づく映像データ及び音声データを出力するテレビジョン放送受信装置において、
前記テレビジョン放送信号に含まれるオープンキャプションデータを表示する際の文字のフォント及び大きさに関する文字情報を記憶する文字情報記憶手段と、
前記文字情報記憶手段に記憶された前記文字情報中の文字のフォント及び大きさと一致する部分が前記映像データ内に存在するか否かを解析することにより、オープンキャプションを検出する検出手段と、
前記検出手段により、前記映像データに基づく映像に含まれるオープンキャプションが検出された場合に、当該オープンキャプション部分の映像を当該オープンキャプション部分における当該オープンキャプションが現れる直前の映像となるように映像データを画像処理する画像処理手段と、
を備えることを特徴としている。
【発明の効果】
【０００８】
請求項１に記載の発明によれば、文字情報記憶手段により、テレビジョン放送信号に含まれるオープンキャプションデータを表示する際の文字のフォント及び大きさに関する文字情報が記憶され、検出手段により、設定手段によってオープンキャプションの非表示が設定された場合に、文字情報記憶手段に記憶された文字情報中の文字のフォント及び大きさと一致する部分が映像データ内に存在するか否かが解析されることにより、オープンキャプションが検出され、画像処理手段により、検出手段によって映像データに基づく映像に含まれるオープンキャプションが検出された場合に、当該オープンキャプション部分の映像における色を当該オープンキャプション部分に隣接する部分の色に変更する画像処理が行われるので、オープンキャプションが当該オープンキャプションに隣接する色により隠れることとなって、オープンキャプションを非表示化することができる。
また、放送局から伝送されたクローズドキャプションが地域放送局においてオープンキャプションに変換されて各家庭のテレビジョン放送受信装置に伝送されても、当該オープンキャプションを非表示化することができるので、放送局から伝送されたクローズドキャプションが常時表示されないこととなって、ユーザにとっては目障りであるという問題を解決することができる。
また、設定手段により、オープンキャプションの非表示が設定されるので、オープンキャプションの表示／非表示を切換設定することができ、より好適である。
【０００９】
請求項２に記載の発明によれば、文字情報記憶手段により、テレビジョン放送信号に含まれるオープンキャプションデータを表示する際の文字のフォント及び大きさに関する文字情報が記憶され、検出手段により、文字情報記憶手段に記憶された文字情報中の文字のフォント及び大きさと一致する部分が映像データ内に存在するか否かが解析されることにより、オープンキャプションが検出され、画像処理手段により、検出手段によって映像データに基づく映像に含まれるオープンキャプションが検出された場合に、当該オープンキャプション部分の映像における色を当該オープンキャプション部分に隣接する部分の色に変更する画像処理が行われるので、オープンキャプションが当該オープンキャプションに隣接する色により隠れることとなって、オープンキャプションを非表示化することができる。
また、放送局から伝送されたクローズドキャプションが地域放送局においてオープンキャプションに変換されて各家庭のテレビジョン放送受信装置に伝送されても、当該オープンキャプションを非表示化することができるので、放送局から伝送されたクローズドキャプションが常時表示されないこととなって、ユーザにとっては目障りであるという問題を解決することができる。
【００１０】
請求項３に記載の発明によれば、文字情報記憶手段により、テレビジョン放送信号に含まれるオープンキャプションデータを表示する際の文字のフォント及び大きさに関する文字情報が記憶され、検出手段により、文字情報記憶手段に記憶された文字情報中の文字のフォント及び大きさと一致する部分が映像データ内に存在するか否かが解析されることにより、オープンキャプションが検出され、画像処理手段により、検出手段によって映像データに基づく映像に含まれるオープンキャプションが検出された場合に、当該オープンキャプション部分の映像を当該オープンキャプション部分における当該オープンキャプションが現れる直前の映像となるように映像データが画像処理されるので、オープンキャプションが当該オープンキャプションが現れる直前の映像により隠れることとなって、オープンキャプションを非表示化することができる。
また、放送局から伝送されたクローズドキャプションが地域放送局においてオープンキャプションに変換されて各家庭のテレビジョン放送受信装置に伝送されても、当該オープンキャプションを非表示化することができるので、放送局から伝送されたクローズドキャプションが常時表示されないこととなって、ユーザにとっては目障りであるという問題を解決することができる。
【発明を実施するための最良の形態】
【００１１】
以下、図を参照して、本発明に係るテレビジョン放送受信装置を実施するための最良の形態を詳細に説明する。
【００１２】
（第１の実施形態）
まず、本発明の第１の実施形態に係るテレビジョン放送受信装置１００の構成について図１，図２を参照しながら説明する。本実施形態に係るテレビジョン放送受信装置１００は、例えば、図１，図２に示すように、アンテナ１，チューナ部２，復調部３，デコーダ４，ＨＤＤ５，入力部６，制御部７等を備えて構成され、表示装置２００，音出力装置３００，レコーダ４００等と接続されている。
【００１３】
アンテナ１は、例えば、パラボラアンテナやＵＨＦアンテナ等であり、ＦＭ放送，ＡＭ放送，地上波デジタル放送，ＢＳ・ＣＳ放送，地上波アナログ放送等のテレビジョン放送信号を含む放送波を受信し、ＦＭ信号，ＡＭ信号，地上波デジタル信号，ＢＳ・ＣＳ・地上波アナログ信号等のＲＦ信号をチューナ部２に出力する。なお、ＣＡＴＶ回線を介して放送波を受信する場合には、接続ケーブル（図示省略）等が備えられてもよい。
【００１４】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号がユーザが所望するチャンネルのＩＦ（Intermediate  Frequency）信号に変換され、Ａ／Ｄ変換回路により、生成されたＩＦ信号がデジタルデータに変換される。
【００１５】
復調部３は、例えば、チューナ部２から入力されるデジタルデータに復調処理等を行って、デコーダ４に出力する。
【００１６】
デコーダ４は、例えば、復調部３から入力されるデジタルデータに復号処理等を行って映像データ，音声データ，クローズドキャプションデータを生成し、ＨＤＤ５，表示装置２００，音出力装置３００レコーダ４００等に出力する。
【００１７】
ＨＤＤ５は、例えば、磁気的記録媒体等を備えて構成され、デコーダ４から入力された映像データ及び音声データを記憶する。
【００１８】
入力部６は、例えば、各種の操作信号を入力するための各種のキー等を備え、ユーザにより操作されることによって、各種の操作信号を制御部７に出力する。
より具体的には、入力部６は、オープンキャプションの表示／非表示を設定する操作信号を制御部７に出力し、設定手段として機能する。また、入力部６は、例えば、クローズドキャプションの表示／非表示を設定する操作信号を制御部７に出力する。
【００１９】
制御部７は、例えば、図２に示すように、ＣＰＵ（Central  Processing  Unit）８，ＲＡＭ（Random  Access  Memory）９，記憶部１０等を備えて構成される。
【００２０】
ＣＰＵ８は、例えば、記憶部１０に格納された処理プログラム等を読み出して、ＲＡＭ９に展開して実行することにより、テレビジョン放送受信装置１００全体の制御を行う。
【００２１】
ＲＡＭ９は、ＣＰＵ８により実行された処理プログラム等を、ＲＡＭ９内のプログラム格納領域に展開するとともに、入力データや上記処理プログラムが実行される際に生じる処理結果等をデータ格納領域に格納する。
【００２２】
記憶部１０は、例えば、プログラムやデータ等が予め記憶されている記録媒体（図示せず）を有しており、この記録媒体は、例えば、半導体メモリ等で構成されている。また、記憶部１０は、ＣＰＵ８がテレビジョン放送受信装置１００全体を制御する機能を実現させるための各種データ，各種処理プログラム，これらプログラムの実行により処理されたデータ等を記憶する。より具体的には、記憶部１０は、例えば、図２に示すように、フォントデータファイル１０Ａ，クローズドキャプション表示プログラム１０Ｂ，オープンキャプション検出プログラム１０Ｃ，塗りつぶしプログラム１０Ｄ等を格納している。
【００２３】
フォントデータファイル１０Ａは、例えば、テレビジョン放送信号に含まれるオープンキャプションデータを表示する際の文字のフォント及び大きさに関する文字情報を記憶している。ここで、オープンキャプションデータを表示する際の文字のフォント及び大きさとは、通常の字幕に用いられている文字の形状と大きさであり、所定のフォント及び所定の大きさによって規定されている。記憶部１０は、かかるフォントデータファイル１０Ａを格納することにより、文字情報記憶手段として機能する。
【００２４】
クローズドキャプション表示プログラム１０Ｂは、例えば、ＣＰＵ８に、入力部６によりクローズドキャプションの表示が設定されている場合に、テレビジョン放送信号に含まれるクローズドキャプションデータを映像データに合成する機能を実現させるプログラムである。
【００２５】
オープンキャプション検出プログラム１０Ｃは、例えば、ＣＰＵ８に、入力部６によりオープンキャプションの非表示が設定された場合に、フォントデータファイル１０Ａに記憶されている文字情報中の文字のフォント及び大きさと一致する部分が映像データ内に存在するか否かを解析することにより、オープンキャプションを検出する機能を実現させるプログラムである。
具体的には、オープンキャプション検出プログラム１０Ｃは、ＣＰＵ８に、フォントデータファイル１０Ａに記憶されている文字情報中の文字のフォント及び大きさと一致する部分が、映像データに基づく映像内に存在するか否かを判断し、当該文字のフォント及び大きさと一致する部分が映像データに基づく映像内に存在する場合には、当該文字をオープンキャプションとして検出する機能を実現させるプログラムである。
より具体的には、例えば、一フレームにおける映像データ内の所定の位置（例えば、オープンキャプションが挿入される可能性の高い位置）において、映像データに対して輪郭抽出処理を行って、文字対象データを抽出する。そして、抽出した文字対象データに基づく対称画像の形状及び大きさと、フォントデータファイル１０Ａに記憶されている文字情報中の文字のフォントにより規定される形状及び大きさとを比較して、一致する文字がある場合には、当該文字対象データがオープンキャプションであるとして検出する。
ＣＰＵ８は、かかるオープンキャプション検出プログラム１０Ｃを実行することにより、検出手段として機能する。
【００２６】
塗りつぶしプログラム１０Ｄは、例えば、ＣＰＵ８に、オープンキャプション検出プログラム１０Ｃを実行することにより、映像データに基づく映像に含まれるオープンキャプションを検出した場合に、当該オープンキャプション部分の映像における色を、当該オープンキャプション部分に隣接する部分の色に変更する画像処理を行う機能を実現させるプログラムである。ＣＰＵ８は、かかる塗りつぶしプログラム１０Ｄを実行することにより、画像処理手段として機能する。
【００２７】
表示装置２００は、例えば、ＬＣＤ（Liquid  Crystal  Display）やＰＤＰ（Plasma  Display  Panel）等の表示部等を備えて構成され、デコーダ４から出力される映像データに基づく映像を表示部に表示する。
【００２８】
音出力装置３００は、例えば、スピーカ等を備えて構成され、デコーダ４から出力される音声データに基づく音声を出力する。
【００２９】
レコーダ４００は、例えば、ＶＣレコーダやＤＶＤレコーダ等であって、デコーダ４から出力される映像データ及び音声データを記録媒体に記録する。
【００３０】
次に、上述のような構成の第１の実施形態に係るテレビジョン放送受信装置１００のオープンキャプションを非表示化する動作について図３に示すフローチャートを参照しながら説明する。
まず、ＣＰＵ８は、入力部６により、オープンキャプションの非表示設定がされているか否かを判断する（ステップＳ１）。
ステップＳ１において、ＣＰＵ８が、オープンキャプションの非表示設定がされていないと判断した場合には（ステップＳ１；Ｎｏ）、本処理を終了する。
ステップＳ１において、ＣＰＵ８が、オープンキャプションの非表示設定がされていると判断した場合には（ステップＳ１；Ｙｅｓ）、ＣＰＵ８は、オープンキャプション検出プログラム１０Ｃを実行することにより、フォントデータファイル１０Ａに記憶されている文字情報中の文字のフォント及び大きさと一致する部分が映像データ内に存在するか否かを解析する（ステップＳ２）。
【００３１】
次に、ＣＰＵ８は、ステップＳ２の解析を行うことにより、映像データに基づく映像内にオープンキャプションが検出されたか否かを判断する（ステップＳ３）。
ステップＳ３において、ＣＰＵ８が、映像データに基づく映像内にオープンキャプションが検出されなかったと判断した場合には（ステップＳ３；Ｎｏ）、本処理を終了する。
ステップＳ３において、ＣＰＵ８が、映像データに基づく映像内にオープンキャプションが検出されたと判断した場合には（ステップＳ３；Ｙｅｓ）、ＣＰＵ８は、塗りつぶしプログラム１０Ｄを実行することにより、オープンキャプション部分の映像における色を、当該オープンキャプション部分に隣接する部分の色に変更する画像処理を行って（ステップＳ４）、本処理を終了する。
【００３２】
次に、本実施形態に係るテレビジョン放送受信装置１００のオープンキャプションの非表示化の一例について、図４を参照しながら説明する。
例えば、図４（ａ）に示すように、映像の中央に通常の字幕に用いられる文字の大きさよりも大きい文字「Ａ」，「Ｂ」，「Ｃ」が表示され、映像の下部に通常の字幕に用いられる文字のフォント及び大きさと一致する部分「Ｈｉ，  Ｉ’ｍ  Ｊａｃｋ．」が表示される映像データの場合、ＣＰＵ８がステップＳ２の処理を行うことにより、通常の字幕に用いられる文字のフォント及び大きさと一致する部分である「Ｈｉ，  Ｉ’ｍ  Ｊａｃｋ．」がオープンキャプションとして検出される。一方、通常の字幕に用いられる文字の大きさよりも大きい文字である「Ａ」，「Ｂ」，「Ｃ」は、オープンキャプションとして検出されない。
そして、ＣＰＵ８がステップＳ４の処理を行うことにより、例えば、図４（ｂ）に示すように、当該「Ｈｉ，  Ｉ’ｍ  Ｊａｃｋ．」の部分の映像における色が、「Ｈｉ，  Ｉ’ｍ  Ｊａｃｋ．」の文字に隣接する部分の色に変更される。
【００３３】
以上に説明した本発明の第１の実施形態に係るテレビジョン放送受信装置１００によれば、フォントデータファイル１０Ａにより、テレビジョン放送信号に含まれるオープンキャプションデータを表示する際の文字のフォント及び大きさに関する文字情報が記憶され、ＣＰＵ８がオープンキャプション検出プログラム１０Ｃを実行することにより、入力部６によってオープンキャプションの非表示が設定されている場合に、フォントデータファイル１０Ａに記憶された文字情報中の文字のフォント及び大きさと一致する部分が映像データ内に存在するか否かが解析されることにより、オープンキャプションが検出され、ＣＰＵ８が塗りつぶしプログラム１０Ｄを実行することにより、映像データに基づく映像に含まれるオープンキャプションが検出された場合に、当該オープンキャプション部分の映像における色を当該オープンキャプション部分に隣接する部分の色に変更する画像処理が行われるので、オープンキャプションが当該オープンキャプションに隣接する色により隠れることとなって、オープンキャプションを非表示化することができる。
また、放送局から伝送されたクローズドキャプションが地域放送局においてオープンキャプションに変換されて各家庭のテレビジョン放送受信装置１００に伝送されても、当該オープンキャプションを非表示化することができるので、放送局から伝送されたクローズドキャプションが常時表示されないこととなって、ユーザにとっては目障りであるという問題を解決することができる。
また、入力部６により、オープンキャプションの非表示が設定されるので、オープンキャプションの表示／非表示を切換設定することができ、より好適である。
【００３４】
（第２の実施形態）
第２の実施形態に係るテレビジョン放送受信装置５００は、例えば、図５に示すように、記憶部１１の構成のみが第１の実施形態に係るテレビジョン放送受信装置１００を異なるので、同一の構成については同一の符号を付すとともに、その説明を省略する。
【００３５】
記憶部１１は、例えば、プログラムやデータ等が予め記憶されている記録媒体（図示せず）を有しており、この記録媒体は、例えば、半導体メモリ等で構成されている。また、記憶部１１は、ＣＰＵ８がテレビジョン放送受信装置５００全体を制御する機能を実現させるための各種データ，各種処理プログラム，これらプログラムの実行により処理されたデータ等を記憶する。より具体的には、記憶部１１は、例えば、図５に示すように、フォントデータファイル１０Ａ，クローズドキャプション表示プログラム１０Ｂ，オープンキャプション検出プログラム１０Ｃ，塗りつぶしプログラム１１Ｄ等を格納している。
【００３６】
塗りつぶしプログラム１１Ｄは、例えば、ＣＰＵ８に、オープンキャプション検出プログラム１０Ｃを実行することにより、映像データに基づく映像に含まれるオープンキャプションを検出した場合に、当該オープンキャプション部分の映像を、当該オープンキャプション部分の映像を当該オープンキャプション部分における当該オープンキャプションが現れる直前の映像となるように映像データを画像処理する機能を実現させるプログラムである。ＣＰＵ８は、かかる塗りつぶしプログラム１１Ｄを実行することにより、画像処理手段として機能する。
【００３７】
次に、上述のような構成の第２の実施形態に係るテレビジョン放送受信装置５００のオープンキャプションを非表示化する動作について図６に示すフローチャートを参照しながら説明する。
まず、ＣＰＵ８は、入力部６により、オープンキャプションの非表示設定がされているか否かを判断する（ステップＳ１０１）。
ステップＳ１０１において、ＣＰＵ８が、オープンキャプションの非表示設定がされていないと判断した場合には（ステップＳ１０１；Ｎｏ）、本処理を終了する。
ステップＳ１０１において、ＣＰＵ８が、オープンキャプションの非表示設定がされていると判断した場合には（ステップＳ１０１；Ｙｅｓ）、ＣＰＵ８は、オープンキャプション検出プログラム１０Ｃを実行することにより、フォントデータファイル１０Ａに記憶されている文字情報中の文字のフォント及び大きさと一致する部分が映像データ内に存在するか否かを解析する（ステップＳ１０２）。
【００３８】
次に、ＣＰＵ８は、ステップＳ１０２の解析を行うことにより、映像データに基づく映像内にオープンキャプションが検出されたか否かを判断する（ステップＳ１０３）。
ステップＳ１０３において、ＣＰＵ８が、映像データに基づく映像内にオープンキャプションが検出されなかったと判断した場合には（ステップＳ１０３；Ｎｏ）、本処理を終了する。
ステップＳ１０３において、ＣＰＵ８が、映像データに基づく映像内にオープンキャプションが検出されたと判断した場合には（ステップＳ１０３；Ｙｅｓ）、ＣＰＵ８は、塗りつぶしプログラム１１Ｄを実行することにより、当該オープンキャプション部分の映像を、当該オープンキャプション部分の映像を当該オープンキャプション部分における当該オープンキャプションが現れる直前の映像となるように映像データを画像処理し（ステップＳ１０４）、本処理を終了する。
【００３９】
以上に説明した本発明の第２の実施形態に係るテレビジョン放送受信装置５００によれば、フォントデータファイル１０Ａにより、テレビジョン放送信号に含まれるオープンキャプションデータを表示する際の文字のフォント及び大きさに関する文字情報が記憶され、ＣＰＵ８がオープンキャプション検出プログラム１０Ｃを実行することにより、フォントデータファイル１０Ａに記憶された文字情報中の文字のフォント及び大きさと一致する部分が映像データ内に存在するか否かが解析されることにより、オープンキャプションが検出され、ＣＰＵ８が塗りつぶしプログラム１１Ｄを実行することにより、映像データに基づく映像に含まれるオープンキャプションが検出された場合に、当該オープンキャプション部分の映像を当該オープンキャプション部分における当該オープンキャプションが現れる直前の映像となるように映像データが画像処理されるので、オープンキャプションが当該オープンキャプションが現れる直前の映像により隠れることとなって、オープンキャプションを非表示化することができる。
また、放送局から伝送されたクローズドキャプションが地域放送局においてオープンキャプションに変換されて各家庭のテレビジョン放送受信装置５００に伝送されても、当該オープンキャプションを非表示化することができるので、放送局から伝送されたクローズドキャプションが常時表示されないこととなって、ユーザにとっては目障りであるという問題を解決することができる。
また、入力部６により、オープンキャプションの非表示が設定されるので、オープンキャプションの表示／非表示を切換設定することができ、より好適である。
【００４０】
なお、フォントデータファイル１０Ａに記憶される文字情報には、文字の色が含まれてもよい。
また、本実施形態では、放送局から伝送されたオープンキャプションの非表示化についてのみ記載したが、本発明に係るテレビジョン放送受信装置１００，５００は、放送局から伝送されたデジタル放送が地域放送局においてアナログ放送に変換されるのに伴って、地域放送局においてクローズドキャプションがオープンキャプションに変換された場合に、当該アナログ放送に含まれるオープンキャプションを非表示化してもよい。
また、ＣＰＵ８がオープンキャプション検出プログラム１０Ｃを実行することにより、一フレームにおける映像内にオープンキャプションである部分が検出された場合には、当該部分の横方向同一列の部分はオープンキャプションであるとして処理が行われてもよい。
【図面の簡単な説明】
【００４１】
【図１】本発明に係るテレビジョン放送受信装置の概略構成を示す図である。
【図２】本発明の第１の実施形態に係るテレビジョン放送受信装置の構成を示すブロック図である。
【図３】本発明の第１の実施形態に係るテレビジョン放送受信装置のオープンキャプションを非表示化する動作を説明するフローチャートである。
【図４】本発明に係るテレビジョン放送受信装置によるオープンキャプションの非表示化を説明する図である。
【図５】本発明の第２の実施形態に係るテレビジョン放送受信装置の構成を示すブロック図である。
【図６】本発明の第２の実施形態に係るテレビジョン放送受信装置のオープンキャプションを非表示化する動作を説明するフローチャートである。
【符号の説明】
【００４２】
６  入力部（設定手段）
８  ＣＰＵ（検出手段，画像処理手段）
１０，１１  記憶部（文字情報記憶手段）
１０Ａ  フォントデータファイル（文字情報記憶手段）
１０Ｃ  オープンキャプション検出プログラム（検出手段）
１０Ｄ，１１Ｄ  塗りつぶしプログラム（画像処理手段）
１００，５００  テレビジョン放送受信装置
【図１】
2007266718.tif 000003
【図２】
2007266718.tif 000004
【図３】
2007266718.tif 000005
【図４】
2007266718.tif 000006
【図５】
2007266718.tif 000007
【図６】
2007266718.tif 000008